(57)【要約】【課題】  複数の被見守り者を見守り者端末から同時に見守るためにｎ対１接続して同時又は個別に被見守り者の状況を表示できる見守りシステムにおいて、複数の被見守り者宅内端末に対するアクセス権限を個別に設定すると共に、見守り者端末における表示形態に応じて通信を制御する見守りシステムを提供する。【解決手段】  複数の被見守り者宅内(31a)にそれぞれ設置された複数のモニタ（31-1a〜31-1n）によって収集した原データを解析処理した被見守り者の生活情報データを、通信網(32)を介して少なくとも1台の見守り者端末(33)で受信する見守りシステムであって、  前記それぞれの被見守り者宅内に被見守り者宅内端末を設け、該被見守り者端末では、それぞれの被見守り者のリアルタイムの生活情報データを処理して、被見守り者の所定期間の生活状態を表現した視覚データを含むコンテンツを作成して前記見守り者端末に送信し、前記見守り者端末では、受信した複数の被見守り者の視覚データを同時又は分割して表示することを特徴とする見守りシステム。【選択図】  図７
2005354206.tif 000002
【特許請求の範囲】
【請求項１】
複数の被見守り者宅内にそれぞれ設置された複数のモニタによって収集した原データを解析処理した被見守り者の生活情報データを、通信網を介して少なくとも1台の見守り者端
末で受信する見守りシステムであって、
前記それぞれの被見守り者宅内に被見守り者宅内端末を設け、
該被見守り者端末では、それぞれの被見守り者のリアルタイムの生活情報データを処理して、被見守り者の所定期間の生活状態を表現した視覚データを含むコンテンツを作成して前記見守り者端末に送信し、
前記見守り者端末では、受信した複数の被見守り者の視覚データを同時又は分割して表示する、
ことを特徴とする見守りシステム。
【請求項２】
前記複数の被見守り者宅内端末と前記見守り者端末の相互間には、個々の被見守り者宅内端末に対する見守り者端末のアクセス権限が設定され、両者の通信に先立って当該アクセス権限に対応するコードを見守り者端末から送信することを特徴とする請求項１に記載の見守りシステム。
【請求項３】
前記見守り者端末の表示部に同時に表示する被見守り者数の選択に応じて、前記複数の被見守り者宅内端末との間の通信のデータ量の制御を実行することを特徴とする請求項１に記載の見守りシステム。
【請求項４】
前記見守り者端末からの前記複数の被見守り者宅内端末の選択によって、選択された被見守り者との間で双方向会話を実行することを特徴とする請求項１に記載の見守りシステム。
【請求項５】
複数の被見守り者宅内にそれぞれ設置された複数のモニタによって収集した原データを解析処理した被見守り者の生活情報データをそれぞれの被見守り者宅内端末から、通信網を介して受信する見守り者端末であって、
前記見守り者端末では、それぞれの被見守り者のリアルタイムの生活情報データを処理して、複数の被見守り者の所定期間の生活状態を表現した視覚データを表示部に同時又は分割して表示することを特徴とする見守り者端末。
【請求項６】
前記見守り者端末に、表示部に表示する視覚データのパラメータを選択する表示内容選択手段を設け、
選択されたパラメータに応じて前記複数の被見守り者宅内端末との間の通信の制御を実行することを特徴とする請求項５に記載の見守り者端末。
【請求項７】
前記見守り者端末に、複数の被見守り者宅内端末とのいずれかとの会話を選択する双方向会話選択手段を設け、
選択された被見守り者宅内端末との間で双方向会話を実行することを特徴とする請求項５に記載の見守り者端末。
【請求項８】
複数の被見守り者宅内にそれぞれ設置された複数のモニタによって収集した原データを解析処理した被見守り者の生活情報データをそれぞれの被見守り者宅内端末から、通信網を介して受信する見守り者端末用プログラムであって、
前記見守り者端末に搭載されたコンピュータに、それぞれの被見守り者のリアルタイムの生活情報データを処理する手順と、
複数の被見守り者の所定期間の生活状態を表現した視覚データを表示部に同時又は分割して表示する手順とを実行させることを特徴とする見守り者端末用プログラム。
【請求項９】
前記複数の被見守り者宅内端末と前記見守り者端末の相互間には、個々の被見守り者宅内端末に対する見守り者端末のアクセス権限が設定されており、両者の通信に先立って当該アクセス権限に対応するコードを見守り者端末から送信する手順と、
以降の通信はそのアクセス権限に対応した通信のみを実行させる手順と、
を見守り者端末に搭載されたコンピュータに実行させることを特徴とする請求項８に記載の見守り端末用プログラム。
【発明の詳細な説明】
【技術分野】
【０００１】
本発明は、被見守り者の生活状態をモニタして見守り者端末に前記生活情報を解析処理したデータを送信する複数の被見守り者宅内端末を用いた見守りシステム、それに用いる見守り者端末及びプログラムに関する。
【背景技術】
【０００２】
高齢化社会の到来により、高齢者世帯向けの各種サービスが提案されている。
その１つとして、地域で老人世帯を見守るサービスとして、老人世帯に非常コールボタンを設置し、その非常コールボタンの操作による非常通報を受信するセンターをその地域内（例えば、消防署等）に設け、老人に異常が発生した場合に、その非常コールボタンを押してもらうことで、非常通報を受信したセンターから例えば消防署員が駆けつけるシステムがある。
【０００３】
また、高齢者宅と契約者との間にサービス管理者が存在して、サービス管理者所有の情報センターで高齢者の生活情報を収集し、それを契約者が前記情報センターにアクセスして取得する見守りサービスシステムが知られている。（例えば、特許文献１参照）
【０００４】
前記見守りサービスシステムの全体構成を図１に示す。
図１において、見守りサービスを享受するサービス享受者の生活状態を検知する宅内装置１と、見守りサービスの契約を行ったサービス契約者が使用する契約者側端末２と、サービス享受者に対して各種のサービスを提供するサービス提供者が使用する提供者側端末３と、宅内装置１からの生活情報を収集、管理して各種のサービス提供を行うサービス管理装置４とが、各種通信ネットワークＮ１，Ｎ２，Ｎ３を介して接続された構成となっている。
【０００５】
前記見守りサービスシステムでは、サービス管理装置４に対して、宅内装置１はＩＳＤＮ回線網Ｎ１によって接続されており、契約者側端末２と提供者側端末３とはインターネットＮ２によって接続されている。契約者側端末２および提供者側端末３は、一般的にはパソコンが使用される。なお、回線網Ｎ１は、ＩＳＤＮに限らず、ＣＡＴＶ、無線ＬＡＮ、ＡＤＳＬ、アナログ回線または専用の配線等を使用してももちろん良い。
【０００６】
なお、契約者側端末２や提供者側端末３が携帯電話機や簡易型携帯電話機（ＰＨＳ）等の移動体通信端末である場合、サービス管理装置４は、インターネットＮ２を介して、移動体通信端末のインターネット接続サービスやメールサービス等を行うサービスセンター５に接続される。
このサービスセンター５には、公衆回線網Ｎ３を介して各基地局６，６・・・が接続されており、各基地局６，６・・・は、そのエリア内にある契約者側端末２や提供者側端末３である移動体通信端末との間でデータの送受信を行うことになる。
【０００７】
図２は、前記見守りサービスシステムにおける宅内装置１の構成を示している。
宅内装置１は、邸宅内に配線されたＡＣ１００Ｖの電力線１１を通信路として利用し、この電力線１１に接続されたネットワークコントローラ（ＵＵＩ発信器）１２を介してＩＳＤＮ回線網Ｎ１に接続されている。
また、この電力線１１には、電力モニタ、テレビや照明等の家電製品の動作をモニタする家電品動作モニタ、浴室内に設置された温湿度センサ、水道管に取り付けられた水道センサ、玄関等に設置されるマットスイッチ、居間、トイレ、寝室、台所等に設置される人感センサ、サービス享受者が自発的に操作する押しボタンスイッチなどが接続されている
。
【０００８】
電力モニタは、サービス享受者の電力利用状況が日頃と違わないかを把握する。
家電品動作モニタは、サービス享受者が日頃から利用している電気製品の利用時間等から、生活がいつもと違わないかを見守るセンサである。
水道センサは、サービス享受者の水道利用の時刻や利用時間がいつもと違わないかを見守るセンサである。
マットスイッチや人感センサは、サービス享受者の生活パターンがいつもと違わないかを見守るセンサであり、トイレや風呂の使用時間、外出および帰宅の状況、特定の部屋の滞在時間、起床時刻や就寝時刻などを把握する。
【０００９】
ネットワークコントローラ１２は、上記した各種モニタやセンサからの生活情報にかかわる信号を入力して、サービス享受者の生活行動に関する統計的データを作成し、この統計的データを生活情報として、あるいは異常の検出情報として、ＩＳＤＮ回線網Ｎ１を介してサービス管理装置４に送信する。
また、押しボタンスイッチが押された場合には、緊急信号をＩＳＤＮ回線網Ｎ１を介してサービス管理装置４に送信する。
【００１０】
前記従来の見守りサービスシステムでは、システムを運営する事業母体（サービス管理者）が必須であり、事業母体が確立するまでは、利用者はサービスを受けることができない。
そして、このような見守りサービスシステムの場合には、事業母体はシステムを設立する初期に情報センターを構築する必要があり、多大な費用を必要とする場合がある。
【００１１】
なお、見守りサービスシステムが多くのユーザ（利用者）を見込める大規模なシステムの場合には、事業母体は情報センターの構築及び運営に掛かる費用の負担をユーザ（利用者）に分担できて効率の良いシステムとなる。
しかし、ユーザの数が小さい小規模なシステムの場合には、事業母体及びユーザの両方に負担がかかり、情報センターを設けるシステムのメリットを活かすことが難しい。
【００１２】
本出願人は、上記課題を解決するシステムとして、被見守り者宅内の各種モニタ（センサ）からのデータを被見守り者の生活場所でリアルタイムで収集し、被見守り者の状態が容易に理解できる形態に収集した前記データを解析処理して見守り者端末に送信する機能を備えた被見守り者宅内端末及びその被見守り者宅内端末を用いた見守りシステム（以下、参考例という）を出願している。
【００１３】
図３は、参考例の見守りシステムの全体構成を示す概略図である。
図３の見守りシステムは、見守りサービスを享受する被見守り者宅３１内における被見守り者の生活状態を検知する複数のモニタ（センサ）３１−１ａ〜３１−１ｎと、該複数のモニタの出力をリアルタイムで収集・処理する機能及び通信機能を備えた被見守り者宅内端末３１−２と、通信網３２を介して接続される見守り者端末３３とによって構成されている。
前記被見守り者宅内端末３１−２には、少なくともコンテンツ作成部（手段）３１−２ａと通信部(手段)３１−２ｂとを含んでいる。
【００１４】
参考例における被見守り者のデータは、以下の３階層のデータ構造を採用している。
・レベル１．「原データ」        ：各種モニタから検出された出力値やデータ。
・レベル２．「生活情報データ」 ：原データを解析処理して、意味づけを行ったデータ
で、このデータを基に情報種別や緊急度が定義される。
なお、情報種別としては、生活パターン情報、生活異変情報、セキュリティ情報、メ
ンテナンス情報等がある。
また、緊急度としては、即時通知、バッチ通知等がある。
・レベル３．「視覚データ」      ：各種モニタから得られた原データ及び生活情報デー
タと時間情報とを適宜組み合わせて、見守り者端末の表示部に一意に再現できるデー
タである。
なお、視覚データとしては、文章、図、表、グラフ、画像等のサイズや一や修飾情報
を含む形式で記述されたものやイメージデータとして扱うものを含む。
【００１５】
被見守り者宅内端末には、見守り者が視覚データとして受け取る電子文書のデータを生成するする電子文書生成機能（ＨＴＭＬ，ＸＭＬ等）（コンテンツ作成機能）、見守り者が本物であることを確認する認証機能、通信部が見守り者に対してプッシュ型でお知らせするためのお知らせデータ生成機能（Ｅメール、インスタントメッセージ等）、作成したお知らせデータを特定のプロトコルに従って送信するお知らせデータ送信機能を備えるのが望ましい。
また、被見守り者宅内端末には、Ｗｅｂサーバ、Ｅメール送信機能を備えるのが望ましい。
通信部３１−２ｂには、ＬＡＮ，電話回線、携帯電話回線、光ファイバ回線等に対応するため、ＲＳ２３２ＣまたはＵＳＢ、及びＮＩＣ（Network-Inerface-Card）のインタフ
ェースを備えるのが望ましい。
【００１６】
見守り者端末３３は、見守り者の自宅に設置されたパーソナルコンピュータや移動体通信端末（ＰＨＳ，携帯電話、ＰＡＤ等）の何れでも良い。
また、見守り者端末は、１個ではなく、複数の見守り者端末を併用することも可能であり、通信網としては有線（光ファイバを含む）又は無線での公衆回線、専用回線及びインターネットを含む。
【００１７】
図４は、参考例における被見守り者宅１の宅内における構成を示している。
被見守り者宅１は、宅内に配線されたＡＣ１００Ｖの電力線１１を通信路として利用し、この電力線１１に接続された複数のモニタ１１ａ〜１１ｎの検出出力を、被見守り者宅内端末３１−２で解析処理して通信網３２を介して見守り者端末３３に出力される。
また、この電力線１１には、図２と同様に電力モニタ、テレビや照明等の家電製品の動作をモニタする家電品動作モニタ、浴室内に設置された温湿度センサ、水道管に取り付けられた水道センサ、玄関等に設置されるマットスイッチ、居間、トイレ、寝室、台所等に設置される人感センサ、被見守り者が自発的に操作する押しボタンスイッチなどが接続されている。
【００１８】
また、被見守り者が見守り者と会話するために使用するマイク、スピーカを設けたり、被見守り者宅内を撮影するカメラを設けることも可能である。
さらに、図４には示されていないが、ガラスブレイクセンサ、火災センサ、ガスセンサ等のセキュリティに関するセンサを設置することも可能である。
【００１９】
電力モニタは、被見守り者宅の電力使用量を所定時間毎にチェックして、被見守り者の電力利用状況が日頃のパターンと変化しているか否かを判断する。
家電品動作モニタは、被見守り者が日頃から利用している電気製品（テレビ、照明器具等）の利用時間等をモニタして、被見守り者の生活パターンに変化が生じたか否かを判断するモニタである。
水道センサは、被見守り者の水道利用の時刻や使用量をチェックして、被見守り者の日頃のパターンから変化しているか否かモニタするセンサである。
マットスイッチや人感センサは、被見守り者が宅内のどこにいるかを検出するためのセンサであって、このセンサ出力によって被見守り者のトイレや風呂の使用時間、外出およ
び帰宅の状況、特定の部屋の滞在時間、起床時刻や就寝時刻などの生活パターンを把握することができる。
【００２０】
上記説明では、各種モニタ（センサ）毎に被見守り者の日頃の生活パターンとの変化を判断する機能を備えているように説明しているが、複数のモニタ（センサ）出力を被見守り者端末３１−２で収集して、該被見守り者宅内端末に蓄積された被見守り者の日頃の生活パターンデータとの対比を総合的に実行することによって、単体のモニタ（センサ）による判断よりもより緻密な判断が可能になる。
【００２１】
参考例における被見守り者宅内端末３１−２と見守り者端末３３との間のデータの送受には、被見守り者に異常が発生した場合と、見守り者からの要求に基づくものの２種類がある。
【００２２】
被見守り者宅内端末３１−２が、被見守り者端末３３で異変を検出した場合に見守り者に対して自動的に通知する例としては以下のものが考えられる。
（１）トイレの在室時間１５分以上
（２）入浴時間３０分以上
（３）居室内連続滞在時間３時間以上
（４）在床制限（起床）時刻午前９時以降
等の設定が可能であるが、この項目及び時間等は、被見守り者の状態に応じて適宜変更が可能である。
【００２３】
見守り者端末３３に送信される被見守り者の生活情報の表示画面（コンテンツ）は、被見守り者宅内端末のコンテンツ作成部３１−２ａで作成される。  その１例を図５に示す。
表示画面５０は、大別すると、最新情報欄５０１、状態表示欄５０２、生活パターン表示欄５０３からなっている。
最新情報欄５０１は、その情報の提供時刻とその提供時刻の前後における被見守り者の行動の様子を文書で説明する欄となっている。
また、状態表示欄５０２は、被見守り者の現在の様子を撮影した写真（又はイラスト）で表示する欄となっている。
また、生活パターン表示欄５０３は、被見守り者の生活パターンを色分けし、これを時間軸に沿って表示することで、被見守り者のその日の生活パターン（行動パターン）が一目で分かるように視覚データを含む表示欄となっている。
見守り者端末３３では、このような報告画面５０を受け取ることで、サービス享受者の現在の様子やその日１日（前日等の過去の日も可能）の生活パターンを把握することができる。
【００２４】
上記図５の表示画面（コンテンツ）は、表示される情報量が大きく、パーソナルコンピュータの如き、大きい画面端末における表示に向いている。
携帯電話（ＰＨＳを含む）等の表示画面の小さい見守り者端末の場合には、表示の内の生活パターン（行動パターン）の部分の表示を携帯電話に適した形式にすることも可能である。
【特許文献１】特許第３４９５６９２号  （００１９）〜（００２５）
【発明の開示】
【発明が解決しようとする課題】
【００２５】
前記参考例の見守りシステムは、被見守り者宅内端末と見守り者端末とがＰｔｏＰ形態であるため、見守り者端末における表示部には１名の被見守り者分の情報を表示することを前提に構成されている。
しかし、サービス規模や地域により、サーバを利用した前記特許第３４９５６９２号の様なサービスが利用できない状況でも、複数の被見守り者を見守る必要のある見守り者（小規模な高齢者向け賃貸住宅の管理人、複数の一人暮らしの親を持つ人等）が存在する。
そして、このような複数の被見守り者を見守る必要のある人が前記参考例に見守りシステムを利用すると、該見守りシステムはＰｔｏＰ形態であるために被見守り者毎に見守り者端末の画面を別々に開いて被見守り者の状況を確認をする必要があり非常に手間が掛かるという問題があった。
【００２６】
また、参考例の見守りシステムでは、１対１の通信を前提としているため、被見守り者宅内端末の設定値の変更等の権限等を特に意識する必要がなかったが、被見守り者宅内端末を複数とした場合には、見守り者端末も複数になる場合ができる。
その際に、複数の見守り者端末の権限を全て同一にして、全ての被見守り者宅内端末の設定値の変更等の権限を変更できては、設定値の変更に関する責任の所在が不明確になると共に、システムの運用上も問題が生じることになる。
また、参考例の見守りシステムでは、１人の被見守り者の状況を図５又は図６の如く単体で見守り者端末の表示部に表示するのに対して、見守り者端末の表示部に同時に複数の被見守り者の状況を表示しようとする場合には、単体で表示する場合に比べて必要とする情報量は少なくなるので、それに合わせて通信を制御するのが望ましい。
【００２７】
本発明の課題（目的）は、複数の被見守り者を見守り者端末から同時に見守るためにｎ対１接続して同時又は個別に被見守り者の状況を表示できる見守りシステムにおいて、複数の被見守り者宅内端末に対するアクセス権限を個別に設定すると共に、見守り者端末における表示形態に応じて通信を制御する見守りシステムを提供することにある。
【課題を解決するための手段】
【００２８】
前記課題を解決するために、複数の被見守り者宅内にそれぞれ設置された複数のモニタによって収集した原データを解析処理した被見守り者の生活情報データを、通信網を介して少なくとも1台の見守り者端末で受信する見守りシステムであって、
前記それぞれの被見守り者宅内に被見守り者宅内端末を設け、該被見守り者端末では、それぞれの被見守り者のリアルタイムの生活情報データを処理して、被見守り者の所定期間の生活状態を表現した視覚データを含むコンテンツを作成して前記見守り者端末に送信し、前記見守り者端末では、受信した複数の被見守り者の視覚データを同時又は分割して表示することを特徴とする。（請求項１）
【００２９】
前記複数の被見守り者宅内端末と前記見守り者端末の相互間には、個々の被見守り者宅内端末に対する見守り者端末のアクセス権限が設定され、両者の通信に先立って当該アクセス権限に対応するコードを見守り者端末から送信することを特徴とする。（請求項２）
前記見守り者端末の表示部に同時に表示する被見守り者数の選択に応じて、前記複数の被見守り者宅内端末との間の通信のデータ量の制御を実行することを特徴とする。（請求項３）
前記見守り者端末からの前記複数の被見守り者宅内端末の選択によって、選択された被見守り者との間で双方向会話を実行することを特徴とする。（請求項４）
【００３０】
複数の被見守り者宅内にそれぞれ設置された複数のモニタによって収集した原データを解析処理した被見守り者の生活情報データをそれぞれの被見守り者宅内端末から、通信網を介して受信する見守り者端末であって、
前記見守り者端末では、それぞれの被見守り者のリアルタイムの生活情報データを処理して、複数の被見守り者の所定期間の生活状態を表現した視覚データを表示部に同時又は分割して表示することを特徴とする。（請求項５）
【００３１】
前記見守り者端末に、表示部に表示する視覚データのパラメータを選択する表示内容選択手段を設け、選択されたパラメータに応じて前記複数の被見守り者宅内端末との間の通信の制御を実行することを特徴とする。（請求項６）
前記見守り者端末に、複数の被見守り者宅内端末とのいずれかとの会話を選択する双方向会話選択手段を設け、選択された被見守り者宅内端末との間で双方向会話を実行することを特徴とする。（請求項７）
【００３２】
複数の被見守り者宅内にそれぞれ設置された複数のモニタによって収集した原データを解析処理した被見守り者の生活情報データをそれぞれの被見守り者宅内端末から、通信網を介して受信する見守り者端末用プログラムであって、
前記見守り者端末に搭載されたコンピュータに、それぞれの被見守り者のリアルタイムの生活情報データを処理する手順と、複数の被見守り者の所定期間の生活状態を表現した視覚データを表示部に同時又は分割して表示する手順とを実行させることを特徴とする。（請求項８）
【００３３】
前記複数の被見守り者宅内端末と前記見守り者端末の相互間には、個々の被見守り者宅内端末に対する見守り者端末のアクセス権限が設定されており、両者の通信に先立って当該アクセス権限に対応するコードを見守り者端末から送信する手順と、以降の通信はそのアクセス権限に対応した通信のみを実行させる手順とを見守り者端末に搭載されたコンピュータに実行させることを特徴とする。（請求項９）
【発明の効果】
【００３４】
請求項１〜９に記載の見守りシステム，それに用いる見守り者端末及びプログラムによれば、複数の被見守り者を見守り者端末から同時に見守るためにｎ対１接続して同時又は個別に被見守り者の状況を表示できる見守りシステムにおいて、複数の被見守り者宅内端末に対するアクセス権限を個別に設定すると共に、見守り者端末における表示形態に応じて通信を制御することができる。
【発明を実施するための最良の形態】
【００３５】
図７を用いて本発明の見守りシステムを説明する。
図７は、本発明の見守りシステムの全体構成を示す概略図である。
図７の見守りシステムは、複数の被見守り者宅（ａ）３１ａ〜（ｎ）３１ｎと、少なくとも１個の見守り者端末３３とを通信網３２を介して接続して構成されている。
前記被見守り者宅内には、それぞれ当該被見守り者の生活状態を検知する複数のモニタ（センサ）３１−１ａ〜３１−１ｎと、該複数のモニタの出力をリアルタイムで収集・処理する機能及び通信機能を備えた被見守り者宅内端末３１−２を含み、該被見守り者宅内端末３１−２には、少なくともコンテンツ作成部（手段）３１−２ａと通信部(手段)３１−２ｂとを含んでいて、この点では図３の参考例と同様である。
【００３６】
本発明の見守りシステムでは、複数の被見守り者端末とそれぞれの権限に合致した通信を実行するために見守り者端末３３に搭載されるプログラム（ソフトウエア）に特徴を備えている。
その１例を以下に説明する。
【００３７】
被見守り者の生活状態を確認するために見守り者の保有する見守り者端末（ＰＣ、又は携帯電話等）には、被見守り者の生活状態を「視覚データ」として表示部に表示するための本発明に特有のソフトウエアをインストールする。
【００３８】
前記ソフトウエアをインストールされた見守り者端末の表示部には、複数の被見守り者端末に関する情報を登録する登録画面が表示される。
この登録画面において、これから見守ろうとする複数の被見守り者の宅内端末のアドレス情報等の情報を入力してメモリに記憶すると共に、登録した被見守り者宅内端末から受信する「視覚データ」作成のためのデータを個々に識別できる処理ルールを構築する。（データベースのテーブル作成や各端末用のインデックスを作成する。）
【００３９】
見守り者端末では、見守り者による複数の被見守り者の生活状態を表示する旨の操作に応じて、当該見守り者端末のメモリに記憶されたアドレス情報を基に、複数の被見守り者宅内端末と通信して取得したデータ又は既に見守り者端末のメモリに蓄積されているデータによって、表示部に複数の被見守り者の生活パターンを「視覚データ」として表示する。
【００４０】
見守り者端末の表示部における複数の被見守り者の生活パターンの「視覚データ」としての表示は、複数の被見守り者を１画面上に同時に表示することも、個々の被見守り者毎に分割して表示することができる。
上記１画面上に同時又は分割して表示する機能の選択は単一の操作で実現することが望ましい。
そして、見守り者端末の表示部に同時に表示する被見守り者数によって、表示に必要とするデータ量がそれぞれ異なるので、被見守り者宅内端末との間の通信のデータ量をそれに合わせて制御することが望ましい。
【００４１】
本発明において、見守り者端末の表示部に単独の被見守り者の「視覚データ」として表示する場合の１例は、前述の図５と同様に表示できる。
また、複数の被見守り者の「視覚データ」を同一の表示部に表示する１例を図６に示す。
図６の例では、５名の被見守り者の行動を「視覚データ」として時間軸に沿って同時に表示してるが、表示の形態はこの例に限られるものではない。
【００４２】
また、被見守り者の登録画面では、見守り者が見守る（確認する）必要のある被見守り者宅内端末の全てのアドレス情報を登録するが、その中でも高い頻度で確認したい被見守り者のグループが存在する場合には、登録した被見守り者の一部にグループを設定する機能を設けて、見守り者端末の表示部等に設けたボタンを押すという１個のアクション（操作）によって設定されたグループの生活状態を表示部に表示することができる。
【００４３】
本発明における見守りシステムにおける見守り者端末には、複数の被見守り者宅内端末に対するアクセス権限が個別に設定されている。
これは、従来の見守りシステムが１対１の通信を前提としているため、被見守り者宅内端末の設定値の変更等の権限等を特に意識する必要がなかったが、被見守り者宅内端末を複数とした場合には、見守り者端末も複数になる場合ができる。
その際に、複数の見守り者端末の権限を全て同一にして、全ての被見守り者宅内端末の設定値の変更等の権限を変更できては、設定値の変更に関する責任の所在が不明確になり、システムの運用上に問題が生じるのを防止するためである。
【００４４】
本発明における見守りシステムでは見守り者端末は、見守り者端末と被見守り者宅内端末が通信する際にアクセス権限に関するコードを送信して、それ以降は、アクセス権限に応じた通信のみが可能とされている。
このことによって、設定情報や個人情報に関するデータの通信に制限が加えられている。
なお、アクセス権限に関するコードの送信は、最初の１回、通信の度、アクセス権限が変更された度等に実行される。
【００４５】
また、見守り者端末には、表示部に表示する「視覚データ」のパラメータ情報が設定されていて、見守り者端末と被見守り者宅内端末が通信する際にパラメータ情報に関するコードを送信して、それ以降は、パラメータ情報に応じた「視覚データ」に必要となるデータのみ通信するので、無駄なデータの送信をなくすことができる。
このパラメータ情報に関するコードの送信は、最初の１回、通信の度、アクセス権限が変更された度等に実行される。
【００４６】
本発明の見守りシステムにおける表示部には登録された全ての被見守り者の名前が表示できるので、その画面上に任意の被見守り者の名前を選択することによって、選択された被見守り者との間でVoIP機能を用いた双方向会話を実現できる。
【産業上の利用可能性】
【００４７】
本発明の見守りシステム，それに用いる見守り者端末及びプログラムによれば、複数の被見守り者を見守り者端末から同時に見守るためにｎ対１接続して同時又は個別に被見守り者の状況を表示できる見守りシステムにおいて、複数の被見守り者宅内端末に対するアクセス権限を個別に設定すると共に、見守り者端末における表示形態に応じて通信を制御することができるので、産業上の利用可能性は極めて大きい。
【図面の簡単な説明】
【００４８】
【図１】図１は、従来の見守りシステムの全体構成を示す概略図である。
【図２】図２は、従来における被見守り者宅１の宅内における構成を示す図である。
【図３】図３は、参考例の見守りシステムの全体構成を示す概略図である。
【図４】図４は、参考例における被見守り者宅１の宅内における構成を示す図である。
【図５】図５は、単独の被見守り者の視覚データを表示部に表示するコンテンツの表示例を示す図である。
【図６】図６は、複数の被見守り者の「視覚データ」を同一の表示部に表示するコンテンツの表示例を示す図である。
【図７】図７は、本発明の見守り者システム構成の１例を示す図である。
【符号の説明】
【００４９】
３１：被見守り者宅、３１−１ａ〜３１−１ｎ：モニタ、３１−２：被見守り者宅内端末、３１−２ａ：コンテンツ作成部、３１−２ｂ：通信部、３２：通信網、３３：見守り者端末
【図１】
2005354206.tif 000003
【図２】
2005354206.tif 000004
【図３】
2005354206.tif 000005
【図４】
2005354206.tif 000006
【図５】
2005354206.tif 000007
【図７】
2005354206.tif 000008
【図６】
2005354206.tif 000009